(57)【要約】【課題】内視鏡洗浄消毒装置の挿入部から、リミットスイッチを破損することなく容易に抜去することができること。【解決手段】薬液を貯留し、天面１０２ｕ、天面１０２ｕに対向する底面１０２ｔ、天面１０２ｕおよび底面１０２ｔをつなぐ側面１０２ａｓ、天面１０２ｕおよび底面１０２ｔをつなぎ側面１０２ａｓに対向する側面１０２ａｔを含む貯留部１０２ａと、天面１０２ｕに設けられ、中心が天面１０２ｕの中央よりも側面１０２ａｔ側に配置される開口部と、側面１０２ａｓに形成された凹部１０３と、凹部１０３の天面側の面に形成された天面側に傾く傾斜面１０２ｕｋと、を具備し、凹部１０３は、側面１０２ａｓに対して着脱自在なアダプタ１５０に設けられている。【選択図】図１１
2012125586.tif 000002
【特許請求の範囲】
【請求項１】
内視鏡洗浄消毒装置に薬液を供給する内視鏡洗浄消毒装置用薬液ボトルであって、
前記薬液を貯留し、天面、前記天面に対向する底面、前記天面および前記底面をつなぐ第１側面、前記天面および前記底面をつなぎ前記第１側面に対向する第２側面を含む貯留部と、
前記天面に設けられ、中心が前記天面の中央よりも前記第２側面側に配置される開口部と、
前記第１側面に形成された凹部と、
前記凹部の前記天面側の面に形成された前記天面側に傾く傾斜面と、
を具備し、
前記凹部は、前記第１側面に対して着脱自在なアダプタに設けられていることを特徴とする内視鏡洗浄消毒装置用薬液ボトル。
【発明の詳細な説明】
【技術分野】
【０００１】
本発明は、内視鏡洗浄消毒装置に薬液を供給する内視鏡洗浄消毒装置用薬液ボトルに関する。
【背景技術】
【０００２】
内視鏡洗浄消毒装置の挿入部に薬液ボトルを傾けて挿入してセットすると、薬液ボトルにおける貯留部の天面に設けられた栓部は、挿入部の奥に位置する刃部によって破壊されることによって開栓される。その結果、薬液ボトル内の薬液が、自重により管路を介して内視鏡洗浄消毒装置の薬液タンク内に注入される。尚、薬液ボトル内には、例えば内視鏡の消毒に用いる消毒液の濃縮液や、消毒液の緩衝液が注入されている。
【０００３】
この薬液ボトルのセットにおいて、特許文献１では、挿入部に設けられた２つのレバー式のリミットスイッチにおいて、第１のリミットスイッチが、挿入部への薬液ボトルの挿入後、刃部が栓部に刺さる直前の薬液ボトルの位置を検知するとともに、第２のリミットスイッチが、薬液ボトルの栓部を刃部が開栓する薬液ボトルの挿入完了位置を検知する内視鏡洗浄消毒装置の構成が開示されている。  
【先行技術文献】
【特許文献】
【０００４】
【特許文献１】特開２００４−１２１８３２号公報
【発明の概要】
【発明が解決しようとする課題】
【０００５】
特許文献１に開示された内視鏡洗浄消毒装置においては、薬液ボトルの側面に、レバー式のリミットスイッチの腕部の先端に設けられた当接部が当接され、当接部が薬液ボトルに押圧されることにより、リミットスイッチのスイッチ状態をＯＦＦからＯＮに切り替える構成を有している。
【０００６】
ここで、薬液ボトルの側面に凹部を設け、凹部にリミットスイッチの当接部が嵌入されることにより、当接部を薬液ボトルから非押圧状態とすることによって、スイッチ状態をＯＮからＯＦＦに切り替えることにより薬液ボトルの位置検知を行う構成も考えられる。例えば、リミットスイッチの当接部が凹部に嵌入されることにより、上述した薬液ボトルの挿入完了位置を検知する構成も考えられる。
【０００７】
しかしながら、単にボトルに凹部を設けるだけでは、ボトル側面のうち凹部を設けた側面がたわんでしまい、リミットスイッチと上手く噛み合わない虞もある。この構成においては、薬液ボトルから薬液タンクへの薬液の注入完了後、内視鏡洗浄消毒装置の挿入部から薬液ボトルを抜去する際、リミットスイッチの当接部が凹部、言い換えれば凸部の出っ張った面に引っ掛かってしまい、薬液ボトルが抜去し難いといった問題がある。さらに、リミットスイッチの当接部が凹部（凸部の出っ張り面）に引っ掛かった状態で無理に抜去しようとするとリミットスイッチの腕部が破損してしまう場合があると推測される。
【０００８】
本発明は、上記問題点に鑑みてなされたものであり、内視鏡洗浄消毒装置の挿入部から、リミットスイッチを破損することなく容易に抜去することができる構成を有する内視鏡洗浄消毒装置用薬液ボトルを提供することを目的とする。
【課題を解決するための手段】
【０００９】
本発明の一態様における内視鏡洗浄消毒装置用薬液ボトルは、内視鏡洗浄消毒装置に薬液を供給する内視鏡洗浄消毒装置用薬液ボトルであって、前記薬液を貯留し、天面、前記天面に対向する底面、前記天面および前記底面をつなぐ第１側面、前記天面および前記底面をつなぎ前記第１側面に対向する第２側面を含む貯留部と、前記天面に設けられ、中心が前記天面の中央よりも前記第２側面側に配置される開口部と、前記第１側面に形成された凹部と、前記凹部の前記天面側の面に形成された前記天面側に傾く傾斜面と、を具備し、前記凹部は、前記第１側面に対して着脱自在なアダプタに設けられていることを特徴とする。
【発明の効果】
【００１０】
本発明の内視鏡洗浄消毒装置用薬液ボトルによれば、内視鏡洗浄消毒装置の挿入部から、リミットスイッチを破損することなく容易に抜去することができる。
【図面の簡単な説明】
【００１１】
【図１】内視鏡洗浄消毒装置用薬液ボトルを示す平面図
【図２】図１の薬液ボトルのクチバシ部を、図１中のII方向からみた拡大平面図
【図３】図１の内視鏡洗浄消毒装置用薬液ボトルが挿入される挿入部を具備する内視鏡洗浄消毒装置における薬液タンクへの薬液の注入構成の概略を示す図
【図４】図３中の一点鎖線IVで囲んだ部位を拡大して示す図
【図５】図３のリミットスイッチの当接部が内視鏡洗浄消毒装置用薬液ボトルに当接することにより押圧されて、リミットスイッチのスイッチ状態がＯＮになった状態を概略的に示す図
【図６】図１の内視鏡洗浄消毒装置用薬液ボトルに形成される凹部の代わりに切り欠きを形成した変形例を示す図
【図７】図１の凸部の底面側の面を、曲面に形成した変形例を示す図
【図８】図１の凸部の底面側の面を、階段状の面に形成した変形例を示す図
【図９】図１の凹部が、内視鏡洗浄消毒装置用薬液ボトルの貯留部の側面の変形部が非可逆的または可逆的に変形された後に形成される変形例を示す図
【図１０】図１の凸部が、内視鏡洗浄消毒装置用薬液ボトルの底面側から天面側に非可逆的に変形するまたは破壊する部材から構成された変形例を示す図
【図１１】図１の内視鏡洗浄消毒装置用薬液ボトルの貯留部の側面に形成される凸部及び凹部が、側面に対して着脱自在なアダプタに設けられている変形例を示す図
【図１２】内視鏡洗浄消毒装置用薬液ボトルの貯留部の側面に形成される凸部の底面側の面に対してアダプタが着脱自在な変形例を示す図
【図１３】図１の内視鏡洗浄消毒装置用薬液ボトルの貯留部の側面に形成される図８の凸部及び凹部が、側面に対して着脱自在なアダプタに設けられている変形例を示す図
【図１４】図１の内視鏡洗浄消毒装置用薬液ボトルの貯留部の側面に形成される図１０の凸部及び凹部が、側面に対して着脱自在なアダプタに設けられている変形例を示す図
【図１５】内視鏡洗浄消毒装置の挿入部に内視鏡洗浄消毒装置用薬液ボトルが挿入され始めた状態を概略的に示す図
【図１６】図１５の挿入部に設けられた第１のリミットスイッチが、内視鏡洗浄消毒装置用薬液ボトルを検知した状態を概略的に示す図
【図１７】図１５の挿入部に設けられた第２のリミットスイッチが、内視鏡洗浄消毒装置用薬液ボトルを検知した状態を概略的に示す図
【図１８】図１７の状態から内視鏡洗浄消毒装置用薬液ボトルを抜去した際、凸部に接続された接続部が第１のリミットスイッチのガイド板によって破壊された状態を概略的に示す図
【図１９】内視鏡洗浄消毒装置の外観の一例を示す斜視図
【図２０】内視鏡洗浄消毒装置の内部構成の一例を示す図
【発明を実施するための形態】
【００１２】
以下、図面を参照して本発明の実施の形態を説明する。尚、図面は模式的なものであり、各部材の厚みと幅との関係、それぞれの部材の厚みの比率などは現実のものとは異なることに留意すべきであり、図面の相互間においても互いの寸法の関係や比率が異なる部分が含まれていることは勿論である。
【００１３】
（第１実施の形態）  
図１は、内視鏡洗浄消毒装置用薬液ボトルを示す平面図、図２は、図１の薬液ボトルのクチバシ部を、図１中のII方向からみた拡大平面図、図３は、図１の内視鏡洗浄消毒装置用薬液ボトルが挿入される挿入部を具備する内視鏡洗浄消毒装置における薬液タンクへの薬液の注入構成の概略を示す図である。
【００１４】
また、図４は、図３中の一点鎖線IVで囲んだ部位を拡大して示す図、図５は、図３のリミットスイッチの当接部が内視鏡洗浄消毒装置用薬液ボトルに当接することにより押圧されて、リミットスイッチのスイッチ状態がＯＮになった状態を概略的に示す図である。
【００１５】
図１に示すように、内視鏡洗浄消毒装置１（図３参照）に、薬液を供給する内視鏡洗浄消毒装置用薬液ボトル１００は、例えば２つの薬液ボトル１０１、１０２から構成されている。
【００１６】
薬液ボトル１０１と薬液ボトル１０２とは、帯状部材１０４によって、各薬液ボトル１０１、１０２の底面１０１ｔ、１０２ｔと天面１０１ｕ、１０２ｕとの位置が一致するよう一体的に構成されている。よって、内視鏡洗浄消毒装置１の挿入部８０（いずれも図３参照）に対しては、薬液ボトル１０１、１０２は一体的に挿入される。
【００１７】
尚、内視鏡洗浄消毒装置用薬液ボトル１００は、当然、１つのボトルや、３つ以上のボトルから構成されていても構わない。
【００１８】
薬液ボトル１０１は、薬液が貯留される貯留部１０１ａと、該貯留部１０１ａの天面１０１ｕに設けられた開口部１０１ｐ（図２参照）と、開口部１０１ｐに設けられた、内視鏡洗浄消毒装置の図示しない刃部によって破壊可能な栓部１０５と、貯留部１０１ａの天面１０１ｕにおいて栓部１０５の外周を囲むとともに天面１０１ｕから突出して設けられた筒状のクチバシ部１０１ｂとを具備して主要部が構成されている。
【００１９】
尚、貯留部１０１ａ内には、例えば消毒液の濃縮液が貯留されている。尚、消毒液の一例としては、過酢酸等が挙げられる。また、開口部１０１ｐの径は、後述する挿入部８０（図３参照）に挿入後、貯留部１０１ａに貯留された薬液が自重によって排出される径に設定されている。
【００２０】
さらに、開口部１０１ｐは、図３に示すように、連結方向Ｒに沿った開口部１０１ｐの中心軸Ｃ１が、薬液ボトル１０１の中心軸Ｃ２よりも後述する側面１０１ａｓに対向する側面１０１ａｔ（図示されず）側にずれて位置している。
【００２１】
また、クチバシ部１０１ｂの突出端における外周縁部には、内視鏡洗浄消毒装置１の挿入部８０に対して薬液ボトル１０１を挿入した際、後述する管路６２（図３参照）の内周面部に弾性力を以て水密気密となるよう当接することにより、管路６２に対してクチバシ部１０１ｂをシールするシール部１０７が設けられている。
【００２２】
薬液ボトル１０２は、薬液が貯留される貯留部１０２ａと、該貯留部１０２ａの天面１０２ｕに設けられた開口部１０２ｐ（図２参照）と、開口部１０２ｐに設けられた、上述した刃部によって破壊可能な栓部１０５（図２参照）と、貯留部１０２ａの天面１０２ｕにおいて栓部１０５の外周を囲むとともに天面１０２ｕから突出して設けられた筒状のクチバシ部１０２ｂとを具備して主要部が構成されている。
【００２３】
尚、貯留部１０２ａ内には、例えば消毒液の緩衝液が貯留されている。緩衝液は、内視鏡への消毒液の浸透力を高める他、消毒液を長持ちさせる機能を有している。また、開口部１０２ｐの径は、後述する挿入部８０（図３参照）に挿入後、貯留部１０２ａに貯留された薬液が自重によって排出される径に設定されている。
【００２４】
さらに、開口部１０２ｐは、図３に示すように、連結方向Ｒに沿った開口部１０２ｐの中心軸Ｃ１が、薬液ボトル１０１の中心軸Ｃ２よりも後述する側面１０２ａｓに対向する他の側面１０２ａｔ側にずれて位置している。
【００２５】
また、クチバシ部１０２ｂの突出端における外周縁部には、内視鏡洗浄消毒装置１の挿入部８０に対して薬液ボトル１０２を挿入した際、後述する管路６２（図３参照）の内周面部に弾性力を以て水密気密となるよう当接することにより、管路６２に対してクチバシ部１０２ｂをシールするシール部１０７が設けられている。
【００２６】
また、薬液ボトル１０２の貯留部１０２ａの天面１０２ｕと底面１０２ｔとを連結する４つの側面の内、後述する挿入部８０（図３参照）に挿入された際、後述するリミットスイッチ８１（図３参照）に対向する側の側面１０２ａｓに、凸部１１０と凹部１０３とが設けられている。尚、凸部１１０は、側面１０２ａｓに凹部１０３が形成され、天面１０２ｕと側面１０２ａｓとの間に連結方方向Ｒに沿って第１の長さＲ１に形成された、天面１０２ｕと側面１０２ａｓとを連結する第１の傾斜面１０２ｕｋが形成されていることによって形成されている。
【００２７】
凸部１１０は、側面１０２ａｓに対して、天面１０２ｕと底面１０２ｔとを連結する連結方向Ｒにおいて、図４に示すように、第１の傾斜面１０２ｕｋにより、天面１０２ｕから第１の長さＲ１だけ離れた位置において、連結方向Ｒに、第２の長さＲ２となるよう設けられている。尚、凸部の頂部１１０ｃは、側面１０２ａｓの一部を構成している。
【００２８】
また、図１、図４に示すように、凹部１０３は、連結方向Ｒにおいて、底面１０３ｔと、第２の傾斜面である天面１０２ｕ側の面１０３ｓと、底面１０２ｔ側の面１０３ｖとを具備しており、連結方向Ｒにおいて、凸部１１０よりも底面１０２ｔ側に設けられている。
【００２９】
また、図４に示すように、第２の傾斜面である凸部１１０の底面１０２ｔ側の面１１０ｓ、言い換えれば、凹部１０３の天面１０２ｕ側の面１０３ｓは、凸部１１０の頂部１１０ｃに向かって天面１０２ｕ側に傾いて形成されている。
【００３０】
具体的には、図４に示すように、面１１０ｓ（１０３ｓ）は、凹部１０３の底面１０３ｔとのなす角度θが、鈍角となるように、凸部１１０の頂部１１０ｃに向かって天面１０２ｕ側に傾く直線状の面に形成されている。
【００３１】
また、凸部１１０及び凹部１０３は、側面１０２ａｓにおいて、貯留部１０２ａ及び開口部１０２ｐの連結方向Ｒに沿った中心軸Ｃ１、Ｃ２よりも、側面１０２ａｓと連続する他の側面１０２ａｒ側にずれて位置している。もしくは、中心軸Ｃ１、Ｃ２をはさんで反対側にずれて位置していてもよい。
【００３２】
尚、凸部１１０及び凹部１０３は、薬液ボトル１０１の貯留部１０１ａの天面１０１ｕと底面１０１ｔとを連結する４つの側面の内、後述する挿入部８０（図３参照）に挿入された際、後述するリミットスイッチ８１（図３参照）に対向する側の側面１０１ａｓに設けられていても構わない。この場合、リミットスイッチ８１は、薬液ボトル１０１に当接する構成となる。
【００３３】
また、薬液ボトル１０１と薬液ボトル１０２とは、薬液ボトル１０２に凸部１１０及び凹部１０３が形成されている以外は、同じ大きさ、同じ形状に形成されている。勿論、薬液ボトル１０１に対して薬液ボトル１０２が違う形状、大きさに形成されていても構わない。
【００３４】
さらに、薬液ボトル１０２の形状は、凸部１１０及び凹部１０３が形成されている以外は、従来の薬液ボトルの形状と同じであってもよい。また、内視鏡洗浄消毒装置用薬液ボトル１００が複数から構成されている場合は、いずれか１つの貯留部の側面に凸部１１０及び凹部１０３が設けられていてもよいし、複数のボトルに設けられていても良い。
【００３５】
尚、過酢酸などの揮発性のある薬剤を貯留する場合には図２に示すように、栓部１０５に、孔部１０５ｈを形成し蒸気抜きができるようにしてもよい。
【００３６】
このように構成された内視鏡洗浄消毒装置用薬液ボトル１００は、図３に示す内視鏡洗浄消毒装置１の挿入部８０に挿入される。
【００３７】
図３に示すように、内視鏡洗浄消毒装置１は、内部に薬液タンク５８を有している。また、薬液タンク５８よりも上方位置に、内視鏡洗浄消毒装置用薬液ボトル１００が天面側から挿入可能な挿入部８０が設けられている。
【００３８】
尚、挿入部８０に対しては、内視鏡洗浄消毒装置用薬液ボトル１００を、内視鏡洗浄消毒装置１に対して引き出し自在な図示しないカセットトレーを用いて挿入可能な構成であっても構わない。
【００３９】
挿入部８０は、一端に、内視鏡洗浄消毒装置１におけるユーザが近接する前面の外表面に開口する挿入口８０ｓを有しているとともに、他端に、挿入部８０と薬液タンク５８とを連通する管路６２が接続されている。
【００４０】
尚、挿入部８０は、該挿入部８０に挿入された内視鏡洗浄消毒装置用薬液ボトル１００内の薬液を、管路６２を介して薬液タンク５８に自重により注入できるよう、一端側から他端側に向かって下方に傾いて設けられている。
【００４１】
また、挿入部８０の他端側の内部には、挿入部８０に挿入された内視鏡洗浄消毒装置用薬液ボトル１００の上述した栓部１０５を開栓する図示しない刃部が設けられている。
【００４２】
さらに、挿入部８０の上面には、レバー式のリミットスイッチ８１が設けられている。リミットスイッチ８１は、腕部８１ａと、該腕部８１ａの先端に設けられた当接部８１ｂを有している。
【００４３】
尚、リミットスイッチは、複数から構成されていても構わないが、１つから構成されていると、構造が単純になり、内視鏡洗浄消毒装置１のコスト低減を図ることができる。
【００４４】
また、リミットスイッチ８１は、当接部８１ｂが薬液ボトル１０２の貯留部１０２ａの外表面に当接すると、押圧されてスイッチ状態が、ＯＦＦからＯＮに変化するよう構成されており、スイッチ状態の変化を、制御部７０（図３参照）に送信する機能を有している。
【００４５】
即ち、リミットスイッチ８１は、当接部８１ｂが当接により押圧されると、スイッチ状態がＯＮになり、当接部８１ｂの押圧が終わると、スイッチ状態がＯＦＦになるスイッチから構成されており、スイッチ状態の変化を、制御部７０に送信することにより、内視鏡洗浄消毒装置用薬液ボトル１００の位置を検知する機能を有している。
【００４６】
ただし、押圧されている時にＯＦＦとなり押圧が終わるとＯＮとなるリミットスイッチや、押圧されている時と押圧が終わった時とで電流値が異なるリミットスイッチを用いることもできる。
【００４７】
また、リミットスイッチ８１は、挿入部８０の上面において、リミットスイッチ８１の当接部８１ｂが、薬液ボトル１０２の貯留部１０２ａの側面１０２ａｓに形成された凸部１１０に当接可能な位置に設けられている。
【００４８】
リミットスイッチ８１は、挿入部８０に内視鏡洗浄消毒装置用薬液ボトル１００が挿入されていない場合や、挿入口８０ｓを介して挿入部８０に内視鏡洗浄消毒装置用薬液ボトル１００が挿入された直後は、いずれもスイッチ状態はＯＦＦとなっている。
【００４９】
また、リミットスイッチ８１は、内視鏡洗浄消毒装置用薬液ボトル１００が、上述した挿入部８０に設けられた刃部が栓部１０５に刺さる直前まで挿入されると、図５に示すように、当接部８１ｂが凸部１１０に当接して押圧されることにより、スイッチ状態は、ＯＦＦからＯＮに変化する。
【００５０】
即ち、リミットスイッチ８１は、内視鏡洗浄消毒装置用薬液ボトル１００の刃部が栓部１０５に刺さる直前位置を検知する。尚、検知結果は、制御部７０に送信される。
【００５１】
また、直前位置においては、内視鏡洗浄消毒装置用薬液ボトル１００を構成する各薬液ボトル１０１、１０２のクチバシ部１０１ｂ、１０２ｂの突出端に設けられた各シール部１０７は、管路６２の内周面に対して弾性力を以て水密気密に当接する。
【００５２】
さらに、直前位置においては、リミットスイッチ８１のスイッチ状態がＯＮに変化後、後述するロック部８３によって、内視鏡洗浄消毒装置用薬液ボトル１００の連結方向Ｒにおける抜去方向への動きがロックされる。
【００５３】
リミットスイッチ８１は、内視鏡洗浄消毒装置用薬液ボトル１００が、連結方向Ｒにおいて図５よりも前方に挿入され、栓部１０５に上述した刃部が所定量刺さることにより栓部１０５が開栓される薬液ボトルの挿入完了位置まで移動されると、図４に示すように、当接部８１ｂが、凸部１１０を乗り越えて、凹部１０３内に嵌入することにより、薬液ボトル１０２から当接部８１ｂへの押圧が終わることから、スイッチ状態は、ＯＮからＯＦＦに変化する。
【００５４】
言い換えれば、凸部１１０を、リミットスイッチ８１の当接部８１ｂが、天面１０２ｕ側から底面１０２ｔ側に乗り越えた際、リミットスイッチ８１のスイッチ状態はＯＮからＯＦＦに変化する。
【００５５】
その結果、リミットスイッチ８１は、内視鏡洗浄消毒装置用薬液ボトル１００の挿入完了位置を検知する。尚、検知結果は、制御部７０に送信される。
【００５６】
また、以上から、上述した凸部１１０の連結方向Ｒの第２の長さＲ２（図４参照）は、挿入部８０内における内視鏡洗浄消毒装置用薬液ボトル１００の上述した直前位置から  挿入完了位置までの移動距離に等しくなるよう設定されている。または、内視鏡洗浄消毒装置用薬液ボトル１００の第２の長さＲ２に合わせてリミットスイッチ８１の位置が設定されている。
【００５７】
また、内視鏡洗浄消毒装置用薬液ボトル１００からの薬液の注入後、挿入部８０から内視鏡洗浄消毒装置用薬液ボトル１００を抜去すると、リミットスイッチ８１の当接部８１ｂは、凸部１１０に当接した状態で、凸部１１０を面１１０ｓ（１０３ｓ）、頂部１１０ｃを伝って底面１０２ｔ側から天面１０２ｕ側に乗り越えることにより、凸部１１０によって押圧されているときは、スイッチ状態がＯＦＦからＯＮに変化し、凸部１１０を乗り越えた後は、スイッチ状態がＯＮからＯＦＦに変化する。
【００５８】
内視鏡洗浄消毒装置１は、挿入部８０に対して内視鏡洗浄消毒装置用薬液ボトル１００が上述した図５に示す刃部が栓部１０５に刺さる直前位置まで挿入された後、内視鏡洗浄消毒装置用薬液ボトル１００の挿入部８０に対する抜去方向への動きを抑制する既知のロックアームを用いたロック部８３を有している。尚、ロック部８３によりロックされても、内視鏡洗浄消毒装置用薬液ボトル１００は、挿入方向の前方には移動できる構成となっている。
【００５９】
薬液タンク５８内に、該薬液タンク５８内に貯留される薬液の液量を段階的に検知する複数のレベルセンサ５８ａ〜５８ｄが設けられている。尚、各レベルセンサ５８ａ〜５８ｄからの薬液の液量の検知情報は、内視鏡洗浄消毒装置１内に設けられた制御部７０に伝送されるようになっている。
【００６０】
また、薬液タンク５８には、上述した洗浄消毒槽４内の薬液を薬液タンク５８に回収する際用いられる薬液回収管路６１の端部が接続されているとともに、洗浄消毒槽４に薬液タンク５８から薬液を供給する際用いられる薬液管路６４の端部が接続されている。尚、薬液管路６４には、薬液ポンプ６５が介装されている。
【００６１】
このように、本実施の形態においては、薬液ボトル１０２の貯留部１０２ａの側面１０２ａｓに形成された凸部１１０の底面１０２ｔ側の面１１０ｓ、言い換えれば、凹部１０３の天面１０２ｕ側の面１０３ｓは、凹部１０３の底面１０３ｔとのなす角度θが、鈍角となるように、凸部１１０の頂部１１０ｃに向かって天面１０２ｕ側に傾いて形成されていると示した。
【００６２】
このことによれば、内視鏡洗浄消毒装置用薬液ボトル１００から、薬液タンク５８への薬液の注入完了後、内視鏡洗浄消毒装置用薬液ボトル１００を抜去する際、面１１０ｓ（１０３ｓ）が底面１０３ｔに対して垂直な面に形成されていると、リミットスイッチ８１の当接部８１ｂが面１０３ｓに引っ掛かってしまい、無理に抜去しようとするとリミットスイッチ８１の腕部８１ａが破損してしまう場合があったが、本実施の形態の構成によれば、面１１０ｓ（１０３ｓ）は、凸部１１０の頂部１１０ｃに向かって天面１０２ｕ側に傾いて形成されていることから、面１１０ｓ（１０３ｓ）に、当接部８１ｂが引っ掛かってしまうことがない。
【００６３】
また、本実施の形態においては、凸部１１０及び凹部１０３は、薬液ボトル１０２の貯留部１０２ａの側面１０２ａｓにおいて、貯留部１０２ａ及び開口部１０２ｐの連結方向Ｒに沿った中心軸Ｃ１、Ｃ２よりも、側面１０２ａｓと連続する他の側面１０２ａｒ側にずれて位置していると示した。
【００６４】
このことによれば、貯留部１０２ａの凹部を設けた側面の強度を向上させることができる。
【００６５】
よって、内視鏡洗浄消毒装置１の挿入部８０から、リミットスイッチ８１を破損することなく容易に抜去することができる構成を有する内視鏡洗浄消毒装置用薬液ボトル１００を提供することができる。
【００６６】
尚、以下、変形例を、図６を用いて示す。図６は、図１の内視鏡洗浄消毒装置用薬液ボトルに形成される凹部の代わりに切り欠きを形成した変形例を示す図である。
【００６７】
上述した本実施の形態においては、薬液ボトル１０２の貯留部１０２ａの側面１０２ａｓにおいて、凹部１０３が形成されていることにより、凸部１１０が形成されると示したが、これに限らず、図６に示すように、側面１０２ａｓを、凸部１１０を除いて切り欠いた切り欠き１０３によって、凸部１１０が形成されていても構わないということは勿論である。
【００６８】
また、以下、別の変形例を、図７を用いて示す。図７は、図１の凸部の底面側の面を、曲面に形成した変形例を示す図、図８は、図１の凸部の底面側の面を、階段状の面に形成した変形例を示す図である。
【００６９】
上述した本実施の形態においては、凸部１１０の底面１０２ｔ側の面１１０ｓ、言い換えれば、凹部１０３の天面１０２ｕ側の面１０３ｓは、凹部１０３の底面１０３ｔとのなす角度θが鈍角となるように、凸部１１０の頂部１１０ｃに向かって天面１０２ｕ側に傾いて形成されているとし、図４に示すように面１１０ｓ（１０３ｓ）は、直線状の面に形成されていると示した。
【００７０】
これに限らず、図７に示すように、面１１０ｓ（１０３ｓ）は、凸部１１０の頂部１１０ｃに向かって天面１０２ｕ側に傾いて形成されていれば、直線状の面に限らず、曲面に形成されていても構わないし、図８に示すように、階段状に形成されていても構わない。
【００７１】
このことによれば、面１１０ｓ（１０３ｓ）が曲面や階段状の面に形成されていたとしても、挿入部８０から内視鏡洗浄消毒装置用薬液ボトル１００を抜去する際、リミットスイッチ８１の当接部８１ｂが面１１０ｓ（１０３ｓ）に引っ掛かってしまうことがないことから、本実施の形態と同様の効果を得ることができる。
【００７２】
尚、面１１０ｓ（１０３ｓ）の形状は、上述した形状に限らず、リミットスイッチ８１の当接部８１ｂが引っ掛からない面であれば、どのような面であっても構わないことは勿論である。
【００７３】
さらに、別の変形例を、図９を用いて示す。図９は、図１の凹部が、内視鏡洗浄消毒装置用薬液ボトルの貯留部の側面の変形部が非可逆的または可逆的に変形された後に形成される変形例を示す図である。
【００７４】
図９に示すように、薬液ボトル１０２の貯留部１０２ａの側面１０２ａｓにおいて、一部に変形部１１５を設け、該変形部１１５が、リミットスイッチ８１の当接部８１ｂと接触することによって非可逆的または可逆的に変形されることにより、凹部１０３が形成される、即ち、凹部１０３の形成後、第２の傾斜面である面１１０ｓ（１０３ｓ）が形成される構成であっても構わない。
【００７５】
尚、変形部１１５は、側面１０２ａｓの他の部位と比較して機械的強度の弱い部材から構成されている。具体的には、貯留部１０２ａの側面１０２ａｓの一部が、他の部位よりも貯留部１０２ａを構成する部材の厚みが薄くなっていることにより非可逆的に変形される薄肉部や、ゴム等の可逆的に変形可能な部材や、貯留部１０２ａとは異なる非可逆的に変形可能な部材等から構成されている。
【００７６】
また、以下、別の変形例を、図１０を用いて示す。図１０は、図１の凸部が、内視鏡洗浄消毒装置用薬液ボトルの底面側から天面側に非可逆的に変形するまたは破壊する部材から構成された変形例を示す図である。
【００７７】
図１０に示すように、貯留部１０２ａの側面１０２ａｓに形成される凸部１１０は、薬液ボトル１０２の底面１０２ｔ側から天面１０２ｕ側に非可逆的に変形するまたは破壊する部材から構成されていても構わない。
【００７８】
このことによれば、挿入部８０から内視鏡洗浄消毒装置用薬液ボトル１００を抜去する際、リミットスイッチ８１の当接部８１ｂが面１１０ｓ（１０３ｓ）に引っ掛かると、凸部１１０は変形または破壊されるため、面１１０ｓ（１０３ｓ）に引っ掛かってしまうことがないことから、本実施の形態と同様の効果を得ることができる。
【００７９】
尚、以下、変形例を、図１１〜図１４を用いて示す。図１１は、図１の内視鏡洗浄消毒装置用薬液ボトルの貯留部の側面に形成される凸部及び凹部が、側面に対して着脱自在なアダプタに設けられている変形例を示す図、図１２は、内視鏡洗浄消毒装置用薬液ボトルの貯留部の側面に形成される凸部の底面側の面に対してアダプタが着脱自在な変形例を示す図である。
【００８０】
また、図１３は、図１の内視鏡洗浄消毒装置用薬液ボトルの貯留部の側面に形成される図８の凸部及び凹部が、側面に対して着脱自在なアダプタに設けられている変形例を示す図である。
【００８１】
さらに、図１４は、図１の内視鏡洗浄消毒装置用薬液ボトルの貯留部の側面に形成される図１０の凸部及び凹部が、側面に対して着脱自在なアダプタに設けられている変形例を示す図である。
【００８２】
上述した本実施の形態においては、凸部１１０及び凹部１０３は、薬液ボトル１０２の貯留部１０２ａの側面１０２ａｓに形成されていると示した。これに限らず、側面１０２ａｓ自体に凸部１１０及び凹部１０３を設けずに、図１１に示すように、凸部１１０及び凹部１０３が形成されたアダプタ１５０が、側面１０２ａｓに対して着脱自在なことにより、アダプタ１５０の装着後、凸部１１０及び凹部１０３が側面１０２ａｓに設けられる構成であっても構わない。
【００８３】
また、アダプタ１５０は、凸部１１０及び凹部１０３を有するアダプタに限らず、例えば、図１２に示すように、凸部１１０の底面１０２ｔ側の面１１０ｓ（１０３ｓ）が、凹部１０３の底面１３０ｔに対して垂直に形成されている場合に、面１１０ｓ（１０３ｓ）に対して着脱自在な曲面１５０ｓを有するアダプタであっても構わない。
【００８４】
この図１２に示す構成によれば、凸部の面１１０ｓ（１０３ｓ）が底面１３０ｔに対して垂直に形成されている場合であっても、面１１０ｓ（１０３ｓ）にアダプタ１５０を装着するのみで、面１１０ｓ（１０３ｓ）に曲面１５０ｓを設けることができることから、上述した本実施の形態と同様の効果を得ることができる。
【００８５】
尚、面１１０ｓ（１０３ｓ）に対して着脱自在なアダプタは、曲面１５０ｓに限らず、頂部１５０ｃ側に傾く傾斜面や階段状の面等、リミットスイッチ８１の当接部８１ｂが引っ掛からない面であれば、どのような形状の面であっても構わない。
【００８６】
さらに、図１３に示すように、アダプタ１５０は、上述した図８に示したような凸部１１０の底面１０２ｔ側の面１１０ｓ（１０３ｓ）が階段状の面に形成されたアダプタであっても構わない。また、図１４に示すように、上述した図１０に示したような凸部１１０が薬液ボトル１０２の底面１０２ｔ側から天面１０２ｕ側に非可逆的に変形するまたは破壊するよう構成されているアダプタであっても構わない。
【００８７】
尚、アダプタ１５０の面１１０ｓ（１０３ｓ）の形状も、上述したものに限らず、リミットスイッチ８１の当接部８１ｂが引っ掛からない面であれば、どのような形状の面であっても構わないことは勿論である。
【００８８】
（第２実施の形態）
図１５は、内視鏡洗浄消毒装置の挿入部に内視鏡洗浄消毒装置用薬液ボトルが挿入され始めた状態を概略的に示す図、図１６は、図１５の挿入部に設けられた第１のリミットスイッチが、内視鏡洗浄消毒装置用薬液ボトルを検知した状態を概略的に示す図である。
【００８９】
また、図１７は、図１５の挿入部に設けられた第２のリミットスイッチが、内視鏡洗浄消毒装置用薬液ボトルを検知した状態を概略的に示す図、図１８は、図１７の状態から内視鏡洗浄消毒装置用薬液ボトルを抜去した際、凸部に接続された接続部が第１のリミットスイッチのガイド板によって破壊された状態を概略的に示す図である。
【００９０】
この第２実施の形態の内視鏡洗浄消毒装置用薬液ボトルの構成は、上述した図１〜図５に示した第１実施の形態の内視鏡洗浄消毒装置用薬液ボトルと比して、凸部が薬液ボトルに対して接続部を介して接続されている点が異なる。よって、この相違点のみを説明し、第１実施の形態と同様の構成には同じ符号を付し、その説明は省略する。
【００９１】
尚、本実施の形態においては、内視鏡洗浄消毒装置１の挿入部８０に設けられるリミットスイッチは、２つのリミットスイッチから構成されている場合を例に挙げて説明する。また、図１５〜図１８においては、図面を簡略化するため、挿入部８０が水平な図となっているが、実際は、挿入部８０は、第１実施の形態と同様に、挿入口８０ｓから管路６２側に傾いている。
【００９２】
図１５に示すように、内視鏡洗浄消毒装置１の挿入部８０の上面に、第１のリミットスイッチ１８１と、第２のリミットスイッチ１８２との２つのリミットスイッチが設けられている。
【００９３】
第１のリミットスイッチ１８１は、加圧バネ１９２によって挿入部８０内に押圧されたガイド板１９１を有し、ガイド板１９１が押圧されると、該ガイド板１９１によって腕部１８１ａの先端に設けられた当接部１８１ｂが押圧されることにより、スイッチ状態が変化するように構成されている。
【００９４】
第２のリミットスイッチ１８２は、腕部１８２ａと、当接部１８２ｂとを有しており、当接部１８２ｂが押圧されると、スイッチ状態が変化するよう構成されている。
【００９５】
このように、２つのリミットスイッチ１８１、１８２が設けられた挿入部８０には、内視鏡洗浄消毒装置用薬液ボトル１００が挿入される。
【００９６】
尚、本実施の形態における内視鏡洗浄消毒装置用薬液ボトル１００は、第１実施の形態と比して、薬液ボトル１０２の貯留部１０２ａの側面１０２ａｓに、凸部を構成する突起部１９０が接続部１９９を介して設けられている点が異なる。
【００９７】
尚、突起部１９０は、第１のリミットスイッチ１８１及び第２のリミットスイッチ１８２によって検知される。また、突起部１９０は、貯留部１０２ａと一体的に設けられていても構わないし、別体に設けられていても構わない。さらには、突起部１９０は、薬液ボトル１０１の貯留部１０１ａの側面１０１ａｓに設けられていても構わない。
【００９８】
また、接続部１９９は、薬液ボトル１０２の底面１０２ｔ側から天面１０２ｕ側に向けて非可逆的に破壊される部材から構成されている。尚、接続部１９９は、薬液ボトル１０２の底面１０２ｔ側から天面１０２ｕ側に向けて非可逆的に変形される部材から構成されていても構わない。
【００９９】
このように、突起部１９０が設けられた薬液ボトル１０２を、挿入部８０内に挿入していく場合、先ず、図１５に示すように、図示しない挿入口８０ｓを介して内視鏡洗浄消毒装置用薬液ボトル１００を挿入する。
【０１００】
その後、内視鏡洗浄消毒装置用薬液ボトル１００を図１５よりも刃部６９側に挿入していくと、図１６に示すように、突起部１９０が加圧バネ１９２の付勢力に抗してガイド板１９１を押し上げる。
【０１０１】
その結果、当接部１８１ｂが押圧され、リミットスイッチ１８１のスイッチ状態がＯＦＦからＯＮに変化することから、内視鏡洗浄消毒装置用薬液ボトル１００が挿入過程であることがリミットスイッチ１８１により検知される。
【０１０２】
次いで、内視鏡洗浄消毒装置用薬液ボトル１００を図１６よりも刃部６９側に挿入していくと、図１７に示すように、刃部６９によって、各薬液ボトル１０１、１０２の栓部１０５が開栓される挿入完了位置まで移動する。
【０１０３】
この挿入完了位置においては、突起部１９０によって当接部１８２ｂが押圧されることにより、第２のリミットスイッチ１８２のスイッチ状態がＯＦＦからＯＮに変化することから、第２のリミットスイッチ１８２は、内視鏡洗浄消毒装置用薬液ボトル１００が挿入完了位置にあることを検知する。
【０１０４】
最後に、内視鏡洗浄消毒装置用薬液ボトル１００から薬液タンク５８への薬液の注入完了後、挿入部８０から内視鏡洗浄消毒装置用薬液ボトル１００は抜去されるが、この抜去過程において、図１８に示すように、突起部１９０がガイド板１９１に引っ掛かることによって、接続部１９９が破壊される。その結果、突起部１９０は、薬液ボトル１０２のクチバシ部１０２ｂ側に傾倒する。この際、突起部１９０が薬液ボトル１０２から分離してしまうことがない構成の方が、突起部１９０が内視鏡洗浄消毒装置１内に混入してしまうことがないため望ましい。
【０１０５】
このように、本実施の形態においては、薬液ボトル１０２の貯留部１０２ａの側面１０２ａｓに接続部１９９を介して設けられた突起部１９０は、挿入部８０から内視鏡洗浄消毒装置用薬液ボトル１００を抜去する際、ガイド板１９１に引っ掛かることによって、接続部１９９が破壊されることによりクチバシ部１０２ｂ側に倒れると示した。
【０１０６】
このことによれば、挿入部８０から内視鏡洗浄消毒装置用薬液ボトル１００を抜去する際、突起部１９０が倒れた後は、容易に挿入部８０から内視鏡洗浄消毒装置用薬液ボトル１００を引き抜くことができることから、内視鏡洗浄消毒装置１の挿入部８０から、リミットスイッチ１８１を破損することなく容易に抜去することができる構成を有する内視鏡洗浄消毒装置用薬液ボトル１００を提供することができる。
【０１０７】
また、突起部１９０が倒れた薬液ボトル１０２を、再度挿入部８０に挿入しても、第１のリミットスイッチ１８１、第２のリミットスイッチ１８２は、倒れた突起部１９０によっては押圧されることがないため、ＯＮ状態になることはない。
【０１０８】
尚、仮に、意図的に突起部１９０を起こした状態で挿入部８０に挿入したとしても、接続部１９９が破壊されていることから、突起部１９０は、ガイド板１９１を押圧することなく、逆にガイド板１９１に押圧されてクチバシ部１０２側に再度倒れてしまうため、第１のリミットスイッチ１８１は、ＯＮ状態になることがない。
【０１０９】
このことから、一度使用して空になった薬液ボトルや、何らかの不具合で２剤の内、１剤のみ残ってしまい使えなくなった薬液ボトル等を、間違って挿入部８０に挿入してしまっても、内視鏡洗浄消毒装置１は、即座にエラー表示を行うことから、作業者は、間違った薬液ボトルを挿入した旨を即座に認識することができる。また、間違った薬液ボトルを挿入してしまったとしても、内視鏡洗浄消毒装置１を安全に停止させることができる。
【０１１０】
尚、上述の実施例および変形例は適宜、組み合わせて用いることができる。例えば、図６に示される凹部１０３と、図７に示される曲面とを一つのボトルに適用することもできる。別の例として、凸部１１０の代わりに突起部１９０を配置したボトルを図３に示される挿入部に適用することもできる。また、組合せとしてはこれらに限定されるものではない。
【０１１１】
尚、以下、上述した第１及び第２の実施の形態の内視鏡洗浄消毒装置用薬液ボトル１００が挿入される挿入部８０を有する内視鏡洗浄消毒装置の構成の一例を、図１９、図２０を用いて示す。図１９は、内視鏡洗浄消毒装置の外観の一例を示す斜視図、図２０は、内視鏡洗浄消毒装置の内部構成の一例を示す図である。
【０１１２】
図１９に示すように、内視鏡洗浄消毒装置１は、装置本体２と、その上部に、例えば図示しない蝶番を介して開閉自在に接続されたトップカバー３とにより主要部が構成されている。
【０１１３】
また、トップカバー３が、装置本体２に閉じられている状態では、装置本体２とトップカバー３とは、装置本体２及びトップカバー３の互いに対向する位置に配設された、例えばラッチ８により固定される構成となっている。
【０１１４】
装置本体２の操作者が近接する、図１９中の前面であって、図１９中における左半部の上部に、洗剤／アルコールトレー１１が、装置本体２の前方へ引き出し自在に配設されている。
【０１１５】
洗剤／アルコールトレー１１には、内視鏡を洗浄する際に用いられる洗浄剤が貯留された洗剤タンク１１ａと、洗浄消毒後の内視鏡を乾燥する際に用いられるアルコールが貯留されたアルコールタンク１１ｂとが収納されており、洗剤／アルコールトレー１１が引き出し自在なことにより、各タンク１１ａ、１１ｂに、所定に液体が補充できるようになっている。
【０１１６】
尚、洗剤／アルコールトレー１１には、２つの窓部１１ｍが設けられており、該窓部１１ｍにより、各タンク１１ａ、１１ｂに注入されている洗浄剤及びアルコールの残量が操作者によって確認できるようになっている。この洗浄剤は、図示しない給水フィルタにより濾過処理がされた水道水により所定の濃度に希釈される濃縮洗剤である。
【０１１７】
また、装置本体２の前面であって、図１９中における右半部の上部に、上述した挿入部８０が設けられている。挿入部８０には、上述した薬液ボトル１０１、１０２が挿入可能となっている。
【０１１８】
さらに、装置本体２の前面であって、挿入部８０の上部に、洗浄消毒時間の表示や、消毒液を加温するための指示釦等が配設されたサブ操作パネル１３が配設されている。
【０１１９】
また、装置本体２の下部に、装置本体２の上部に閉じられているトップカバー３を、操作者の踏み込み操作により、装置本体２の上方に開くためのペダルスイッチ１４が配設されている。
【０１２０】
また、装置本体２の上面において、例えば操作者が近接する前面側の端部寄りに、装置本体２の洗浄、消毒動作スタートスイッチ、及び洗浄、消毒モード選択スイッチ等の設定スイッチ類が配設されたメイン操作パネル２５が設けられている。
【０１２１】
また、装置本体２の上面であって、操作者が近接する前面とは反対となる背面側に、装置本体２に水道水を供給するための、水道蛇口に接続された給水ホース（いずれも図示されず）が接続される給水ホース接続口３１が配設されている。尚、給水ホース接続口３１に、水道水を濾過するメッシュフィルタが配設されていてもよい。
【０１２２】
よって、図２０に示すように、内視鏡洗浄消毒装置１は、給水ホース接続口３１に、給水ホース３１ａの一端が接続され、この給水ホース３１ａの他端が外部の水道蛇口５に接続されることにより、水道水が供給される構成を有している。
【０１２３】
図２０に示すように、給水ホース接続口３１は、給水管路９の一端と連通している。この給水管路９は、他端が三方電磁弁１０に接続されており、管路の中途において、給水ホース接続口３１側から順に、給水電磁弁１５と、逆止弁１６と、給水フィルタ１７とが介装されている。
【０１２４】
尚、給水フィルタ１７は、定期的に交換できるように、カートリッジタイプの濾過フィルタとして構成されている。給水フィルタ１７は、通過する水道水の異物、雑菌等を除去する。
【０１２５】
三方電磁弁１０は、流液管路１８の一端と接続されており、給水循環ノズル２４に対する給水管路９と流液管路１８との連通を内部の弁によって切り替える。つまり、給水循環ノズル２４は、三方電磁弁１０の切り替え動作により、給水管路９と流液管路１８とのいずれか一方と連通する。また、流液管路１８の他端側には、液体のみを移送することができる、液体の移送能力に優れた非自吸式のポンプである流液ポンプ１９が介装されている。
【０１２６】
洗浄消毒槽４に配設された循環口５６は、循環管路２０の一端に接続されている。循環管路２０の他端は、流液管路１８の他端及びチャンネル管路２１の一端と連通するように、２つに分岐している。チャンネル管路２１の他端は、各送気送水／鉗子口用ポート３３に連通している。また、図示しないが、チャンネル管路２１の他端は、図示しない鉗子起上用ポートにも連通している。
【０１２７】
チャンネル管路２１は、管路の中途において、一端側から順に、チャンネルポンプ２６、チャンネルブロック２７、チャンネル電磁弁２８がそれぞれ介装されている。チャンネルブロック２７とチャンネル電磁弁２８の間におけるチャンネル管路２１には、洗浄ケース６と一端が接続しているケース用管路３０の他端が接続されている。このケース用管路３０には、リリーフ弁３６が介装されている。尚、チャンネルポンプ２６は、液体と気体とをどちらも、非自吸式ポンプよりも高圧で移送することができる自吸式のポンプから構成されている。
【０１２８】
洗剤ノズル２２は、洗浄剤管路３９の一端と接続されており、洗浄剤管路３９の他端は、洗剤タンク１１ａに接続されている。この洗浄剤管路３９には、その中途に、洗浄剤を洗剤タンク１１ａから洗浄消毒槽４まで持ち上げるため高圧の自吸式のポンプから構成された洗剤用ポンプ４０が介装されている。
【０１２９】
アルコールタンク１１ｂは、アルコール管路４１の一端と接続されており、このアルコール管路４１はチャンネル管路２１と所定に連通するように、チャンネルブロック２７に接続されている。
【０１３０】
このアルコール管路４１には、アルコールをアルコールタンク１１ｂから洗浄消毒槽４まで持ち上げるため高圧の自吸式のポンプから構成されたアルコール供給ポンプ４２と、電磁弁４３とが介装されている。
【０１３１】
また、チャンネルブロック２７には、気体を移送することができる自吸式ポンプから構成されたエアポンプ４５からの空気を供給するためのエア管路４４の一端が所定にチャンネル管路２１と連通するように接続されている。このエア管路４４は、他端が前記エアポンプ４５に接続されており、エア管路４４の中途位置には、逆止弁４７と、定期的に交換されるエアフィルタ４６とが介装されている。
【０１３２】
洗浄消毒槽４の第１の排水口５５には、弁の切り替え動作により、外部へ洗浄液等を排出したり、薬液タンク５８に消毒液を回収したりするための開閉自在な切替弁５７が配設されている。
【０１３３】
切替弁５７は、外部排水口へ接続される不図示の排水ホースと一端が接続されて連通する排水管路５９の他端と接続されており、この排水管路５９には、非自吸式のポンプから構成された排水ポンプ６０が介装されている。また、切替弁５７は、薬液回収管路６１の一端と接続され、この薬液回収管路６１の他端は薬液タンク５８に接続されている。
【０１３４】
薬液タンク５８は、上述したように、内視鏡洗浄消毒装置用薬液ボトル１００から薬液、例えば消毒液が供給されるように、薬液供給管路６２の一端とも接続されている。この薬液供給管路６２の他端は、カセットトレー１２に所定に接続されている。
【０１３５】
また、薬液タンク５８内には、一端に吸引フィルタ６３が設けられた薬液管路６４の前記一端部分が所定に収容されている。この薬液管路６４は、他端が消毒液ノズル２３に接続されており、中途位置に、消毒液を薬液タンク５８から洗浄消毒槽４まで持ち上げるため高圧の自吸式のポンプから構成された薬液ポンプ６５が介装されている。
【０１３６】
尚、洗浄消毒槽４の底面の下部には、上述したように、例えば２つの超音波振動子５２と、ヒータ５３とが配設されている。また、ヒータ５３の温度調節のため、洗浄消毒槽４の底面の略中央には、温度検知センサ５３ａが設けられている。
【０１３７】
このヒータ５３は、洗浄消毒槽４内に貯留され、装置内を循環する消毒液を所定の温度に加温するためのものである。尚、消毒液には、その消毒効果が最も期待できる適正温度がある。この適正温度である前記所定の温度までヒータ５３によって加温された消毒液は、内視鏡及び装置本体２内の各管路を有効的に消毒することができる。
【０１３８】
また、温度検知センサ５３ａは、洗浄消毒槽４内に貯留され、装置内を循環する消毒液の液温を検知し、その検知結果を制御部７０へと伝達する。そして、制御部７０は、温度検知センサ５３ａからの検知結果に基づいて、前記消毒液を前記所定の温度に保つように、ヒータ５３を駆動、停止する制御を行う。
【０１３９】
また、内視鏡洗浄消毒装置１の内部には、外部のＡＣコンセントから電力が供給される電源７１と、この電源７１と電気的に接続される制御部７０が設けられている。この制御部７０は、メイン操作パネル２５及びサブ操作パネル１３からの各種信号が供給され、上述した各ポンプ、各電磁弁などを駆動制御する。
【０１４０】
特に、制御部７０は、少なくとも給水管路９内に対して、循環管路２０、チャンネル管路２１を介して、既知の水抜き、消毒、濯ぎを行うととともに、洗浄消毒槽４内の少なくとも水道水と消毒液とのいずれかを、薬液回収管路６１を介して薬液タンク５８に回収するか排水管路５９を介して外部排水口から排水するかのいずれかを行う給水管路消毒プログラムを備えており、該給水管路消毒プログラムに応じて、各弁及び各ポンプに対し既知の駆動制御を行う。
【０１４１】
また、制御部７０は、内視鏡洗浄消毒装置１内の全管路内を消毒する全管路消毒プログラムや、ポート３３にチューブを介して接続された内視鏡の内視鏡管路を洗浄消毒する内視鏡洗浄消毒プログラムも具備している。
【０１４２】
本出願は、２０１０年１１月２４日に日本国に出願された特願２０１０−２６１０９０号を優先権主張の基礎として出願するものであり、上記の内容は、本願明細書、請求の範囲、図面に引用されたものである。
【図１】
2012125586.tif 000003
【図２】
2012125586.tif 000004
【図３】
2012125586.tif 000005
【図４】
2012125586.tif 000006
【図５】
2012125586.tif 000007
【図６】
2012125586.tif 000008
【図７】
2012125586.tif 000009
【図８】
2012125586.tif 000010
【図９】
2012125586.tif 000011
【図１０】
2012125586.tif 000012
【図１１】
2012125586.tif 000013
【図１２】
2012125586.tif 000014
【図１３】
2012125586.tif 000015
【図１４】
2012125586.tif 000016
【図１５】
2012125586.tif 000017
【図１６】
2012125586.tif 000018
【図１７】
2012125586.tif 000019
【図１８】
2012125586.tif 000020
【図１９】
2012125586.tif 000021
【図２０】
2012125586.tif 000022